(57)【要約】      （修正有）【課題】鍵の掛け忘れを確実に予防する。【解決手段】鍵ホルダー１はサイリスタ回路、電池、ＬＥＤ，震動モーター収納室と裏蓋６で構成されている、収納室にはこの他スイッチ、スイッチとカットスイッチロッドが設置されている、これと裏蓋で鍵２をはさんだものが鍵ホルダー１となる、在宅時は常時このようにセットしておき、鍵ホルダーベッド７に挿入しておく、外出にあたり、鍵ホルダーを下に引き抜くと、スイッチが作動し、ＬＥＤの発光と振動が起る、これを停止させるには、ドアの錠前に鍵を挿入するほかない、帰宅後、鍵ホルダーベッドに戻すことを促すため鍵ホルダーベッドには常時ＬＥＤの戻し忘れ警告ランプ１２が点く、鍵ホルダーを鍵ホルダーベッドに差し込むと警告が消える。【選択図】図１
2013087612.tif 000002
【特許請求の範囲】
【請求項１】
鍵ホルダー１はサイリスタ回路、電池、ＬＥＤ，震動モーター収納室１０と裏蓋６で構成されている、収納室にはこの他スイッチ４とカットスイッチロッド３が設置されている、裏蓋６と収納室とで鍵２をはさんだものが鍵ホルダー１となる、在宅時は常時このようにセットしておき、鍵ホルダーベッド７に挿入しておく、鍵ホルダーベッド７はその両側部が鍵ホルダー１を抱くように前面に折れており、スイッチ起動バネ８がある、外出にあたり、鍵ホルダー１を下に引き抜くと、このバネがスイッチ４を押して作動させる、鍵ホルダー１内の収容室にはＬＥＤと振動モーター、電池が配置され、発光振動回路を形成するから、スイッチ４が作動すればＬＥＤ５の発光と振動が起きる、通電は一瞬で切れるが、サイリスタの働きで発光と振動はその後も持続する、これを停止させるには、ドアの錠前に鍵２を挿入するほかない、挿入すると鍵ホルダー１内の鍵２に添えて設置されているカットスイッチロッド３が錠前の前面部分に押されて後退し，その後端部がそこに設置されたスイッチ９を作動させる、すると回路が切断され発光振動が止まる、錠前を閉めた後に鍵２を鍵穴から取り外すとカットスイッチロッド３がバネで元に戻り待機状態になる、帰宅後、鍵ホルダーベッド７に戻すことを促すため、鍵ホルダーベッド７には常時ＬＥＤの戻し忘れ警告ランプ１２が点く、帰宅後鍵ホルダー１を鍵ホルダーベッド７に差し込むと警告ランプスイッチ１４が押し込まれて切れ、警告ランプ１２が消える、鍵ホルダー１を引き出せばスイッチ起動バネ８は元に戻り警告ランプスイッチ１４が接続し、また警告ランプ１２が点灯する、この電源は交流でも可能である、スイッチ起動バネ８は同時に滑落防止バネの働きをする、鍵の掛け忘れ防止装置。
【発明の詳細な説明】
【技術分野】
【０００１】本発明は外出にあたり家の鍵の掛け忘れが無いよう考案された鍵掛け忘れ防止装置に関するものである。
【背景技術】
【０００２】この発明以前には、鍵自体に警告音や警告の発光装置を組み込んだものや、錠前自体に一定の加工を施し、施錠しない場合に警告を発するもの等がある。
【先行技術文献】
【０００３】
【特許文献１】  特許公開  平０９−７２１３６
【特許文献２】  実用新案  平０６−４５０１４
【発明の概要】
【発明が解決しようとしている課題】
【０００４】従来の鍵掛け忘れ防止装置は鍵自体に特殊加工したり、大掛かりな装置を既存の錠前に加工して取り付けたりしていた、しかもそれでも掛け忘れを完全に防止することは困難であった、そこで外出時に確実に鍵を掛けなければならないようにする安価な装置を提供する。
【課題を解決するための手段】
【０００５】鍵ホルダー１はサイリスタ回路、電池、ＬＥＤ，震動モーター収納室と裏蓋で構成されている、収納室にはこの他スイッチ９、スイッチ４とカットスイッチロッド３が設置されている、これと裏蓋６で鍵２をはさんだものが鍵ホルダー１となる、在宅時は常時このようにセットしておき、鍵ホルダーベッド７に挿入しておく、鍵ホルダーベッド７はその両側部が鍵ホルダー１を抱くように前面に折れている、外出にあたり、鍵ホルダー１を下に引き抜くと、スイッチ起動バネ８によりスイッチ４を押し作動させる、鍵ホルダー内にはＬＥＤと振動モーター、電池が配置され、発光振動回路を形成するから、スイッチ４が作動すればＬＥＤの発光と振動が起る、スイッチ４の通電は、一瞬で止まるが、サイリスタの働きで発光と振動は持続する、これを停止させるには、ドアの錠前に鍵２を挿入するほかない、挿入すると鍵ホルダー１内の鍵２に添えて設置されているカットスイッチロッド３が錠前の前面部分に押されて後退し，スイッチ９を作動させる、すると回路が切断され発光振動が止まる、その後、鍵２を鍵穴から取り外すとスイッチロッド３がバネで元に戻り待機状態になる、帰宅後、鍵ホルダーベッド７に戻すことを促すため、鍵ホルダーベッド７には常時ＬＥＤの戻し忘れ警告ランプが点く、帰宅後鍵ホルダーを鍵ホルダーベッドに差し込むと警告ランプスイッチ１４が切れて警告ランプが消える、この電源は交流でも可能、スイッチ起動バネ８は鍵ホルダー１が鍵ホルダーベッド７から滑落しないように働く、鍵の掛け忘れを確実に予防する装置。
【発明の効果】
【０００６】警告の震動や発光に促されて、それを止めるために必ず鍵を閉めることになるので、掛け忘れをほぼ完全に防止できる。
【図面の簡単な説明】
【０００７】
【図１】鍵ホルダーベッド７とカギホルダー１の概念図
【図２】鍵ホルダー１の説明図
【発明を実施するための形態】
【０００８】鍵ホルダー１はサイリスタ回路、電池、ＬＥＤ，震動モーター収納室１０と裏蓋６で構成されている、収納室１０にはこの他スイッチ４とカットスイッチロッド３が設置されている、裏蓋６で鍵２を挟んだものが鍵ホルダー１となる、在宅時は常時このようにセットしておき、鍵ホルダーベッド７に挿入しておく、鍵ホルダーベッド７はその両側部が鍵ホルダー１を抱くように前面に折れており、スイッチ起動バネ８がある、外出にあたり、鍵ホルダー１を下に引き抜くとき、スイッチ起動バネ８がスィッチ４を押し作動させる、鍵ホルダー１内にはＬＥＤと振動モーター、電池が配置され、発光振動回路を形成するから、スイッチ４が作動すればＬＥＤ５の発光と振動が起きる、通電は一瞬で切れるが、サイリスタの働きで発光と振動はその後も持続する、これを停止させるには、ドアの錠前に鍵を挿入するほかない、挿入すると鍵ホルダー１内の鍵２に添えて設置されているカットスイッチロッド３が錠前の前面部分に押されて後退し，その後端部がそこに予め設置されたスイッチ９を作動させる、すると回路が切断され発光振動が止まる、錠前を閉めた後に鍵２を鍵穴から抜くとカットスイッチロッド３がバネで元に戻り待機状態になる、帰宅後、鍵ホルダーベッド７に戻すことを促すため、鍵ホルダーベッド７には常時ＬＥＤの戻し忘れ警告ランプ１２が点く、帰宅後鍵ホルダー１を鍵ホルダーベッド７に差し込むと警告ランプスイッチ１４が押し込まれて切れ警告ランプ１２が消える、鍵ホルダー１を鍵ホルダーベッド７から引き抜けば、スイッチ起動バネ８は元に戻り警告ランプスイッチ１４が接続し、また警告ランプ１２が点灯する、この電源は交流でも可能、スイッチ起動バネは同時に滑落防止バネの働きをする、鍵の掛け忘れを確実に予防する装置。
【符号の説明】
【０００９】１，  鍵ホルダー
２，  鍵
３，  カットスイッチロッド
４，  スイッチ
５，  ＬＥＤ
６，  裏蓋
７，  鍵ホルダーベッド
８，  スイッチ起動バネ（兼滑落防止バネ）
９，  スイッチ
１０，サイリスタ回路、電池、ＬＥＤ，震動モーター収納室
１１，ホルダーベッドの折り曲げ部分
１２，戻し忘れ警告ランプ
１３，警告ランプ電池（交流電源でも可能）
１４，警告ランプスイッチ
【図１】
2013087612.tif 000003
【図２】
2013087612.tif 000004